(57)【要約】【課題】  造花のディスプレイを工夫して造花の見栄えを良くし、飽きのこない造花のディスプレイ装置を提供する。【解決手段】  造花１０と、水を溜めた状態で造花を透視して視認できるように形成された水槽２０とから構成される造花のディスプレイ装置であって、前記水槽２０は、外ケース部と、内ケース部と、底部との二重筒構造からなる容器に形成され、前記造花１０が前記水槽の内ケース部の内の側領域に配置されている。前記水槽２０を基台３０に支持し、造花１０を支持する花台部を水槽２０を支持する支持台部よりも低位に設ける。【選択図】          図１
0003107666.tif 000002
【実用新案登録請求の範囲】
【請求項１】
造花と、水を溜めた状態で造花を透視して視認できるように形成された水槽とから構成される造花のディスプレイ装置であって、
前記水槽は、外ケース部と、内ケース部と、底部との二重筒構造からなる容器に形成され、
前記造花が前記水槽の内ケース部の内側領域に配置されていることを特徴とする造花のディスプレイ装置。
【請求項２】
前記水槽を支持する基台を備えた造花のディスプレイ装置であって、
前記基台が、前記水槽の底部の平面形状と同形状に形成された支持台部と、
前記内ケース部の内側領域で造花を支持する花台部とを備え、造花の入れ替えリースを可能とすることを特徴とする請求項１記載の造花のディスプレイ装置。
【請求項３】
前記花台部が、前記造花を保持する花瓶等の保持体が支持台部よりも下側に位置するように、前記支持台部よりも低位に設けられていることを特徴とする請求項２記載の造花のディスプレイ装置。
【請求項４】
前記水槽の外ケース部と内ケース部とが、ともに平面形状で矩形の枠体状に形成されていることを特徴とする請求項１記載の造花のディスプレイ装置。
【請求項５】
前記水槽の外ケース部と内ケース部とが、ともに円筒状に形成されていることを特徴とする請求項１記載の造花のディスプレイ装置。
【請求項６】
前記水槽に、水槽内でエアを吐出させるバブリング装置が付設されていることを特徴とする請求項１記載の造花のディスプレイ装置。
【請求項７】
前記水槽に、水槽内の水面に水を吐出させるシャワー装置が付設されていることを特徴とする請求項１記載の造花のディスプレイ装置。
【考案の詳細な説明】
【技術分野】
【０００１】
本考案は造花のディスプレイ装置に関し、より詳細には、造花の見栄えを良好にし、造花を用いたディスプレイとして好適に使用することができる造花のディスプレイ装置に関する。
【背景技術】
【０００２】
造花は室内の装飾用等として広く使われてきた。とくに近年は、造花に用いる素材が改良され、加工技術も進んできたことにより、実際の生花と同じような風合いや、色彩を備えた商品が提供され、きわめて多種類の造花が提供されるようになってきている。
また、室内の装飾用に限らず、光触媒材を素材の表面に被着させるといった方法によって室内の空気を清浄化し、脱臭させるといった機能を備えた造花や、花の香りが発散するように芳香剤が加えられた造花も提供されている。
【特許文献１】特開２００３−１９０８１４号公報
【特許文献２】特開２０００−３０３２３７号公報
【考案の開示】
【考案が解決しようとする課題】
【０００３】
上述したように、造花はその種類が豊富になり、外観的にもすぐれた多様な商品が提供されるようになってきているのであるが、造花はその外観が変わらない故に、花瓶に造花を挿しておくといったように、まったく同じ態様のままにしておくと、飽きてしまうという問題がある。このため、造花を新しいものに交換したり、違う種類の造花を組み合わせてアレンジしなおししたりして、飽きがこないようにするといったことが行われている。
【０００４】
本考案は、このように従来の造花あるいは造花を使ったディスプレイでは、新味に欠け、飽きやすいという問題を、造花のディスプレイを工夫して造花の見栄えを良くすることによって解消し、異なった造花を月に２回程度の交替リースを主体として、造花の見栄えを高揚させ、眺める人達の心を和ませてくれる効果の捻出を目的とするディスプレイ装置を提供することを目的とする。
【課題を解決するための手段】
【０００５】
上記目的を達成するため、本考案は次の構成を備える。
すなわち、造花と、水を溜めた状態で造花を透視して視認できるように形成された水槽とから構成される造花のディスプレイ装置であって、前記水槽は、外ケース部と、内ケース部と、底部との二重筒構造からなる容器に形成され、前記造花が前記水槽の内ケース部の内側領域に配置されていることを特徴とする。
【０００６】
また、前記水槽を支持する基台を備えた造花のディスプレイ装置であって、前記基台が、前記水槽の底部の平面形状と同形状に形成された支持台部と、前記内ケース部の内側領域で造花を支持する花台部とを備え、造花の入れ替えリースを可能とすることを特徴とする。水槽を基台に支持することによって、造花のディスプレイ装置の見栄えをよくすることができ、花台部を設けることで造花の入れ替えのリースが容易に可能になる。
また、前記花台部が、前記造花を保持する花瓶等の保持体が支持台部よりも下側に位置するように、前記支持台部よりも低位に設けられていることにより、水槽の外部から造花を視認した際に、花そのものが水槽中に埋没して配置されているように視認できて、ディスプレイ装置の見栄えをさらに良くすることができる。
【０００７】
また、前記水槽としては、外ケース部と内ケース部とが、ともに平面形状で矩形の枠体状に形成されているもの、外ケース部と内ケース部とが、ともに円筒状に形成されているものが好適に用いられる。
また、前記水槽に、水槽内でエアを吐出させるバブリング装置が付設されていること、前記水槽に、水槽内の水面に水を吐出させるシャワー装置が付設されていることによって、水槽に溜められている水に動きが与えられ、水槽の外部から造花を見た場合に、造花の像が変化し、また、水槽内の動きが変化することから、新鮮で新規なディスプレイとして提示することができる。
【考案の効果】
【０００８】
本考案に係る造花のディスプレイ装置は、二重筒構造に形成された水槽の内ケース部の内側の領域に造花を配置する構造としたことによって、水槽に水を溜めた状態で水槽を外部から視認した際に、あたかも造花が水槽内に埋没されて配置されているように見え、造花のディスプレイとしては従来にない、新規な表現として提示される。造花は水槽の内ケース部の内側に配置することにより、色が褪せたり、変色したりすることがなく、あらかじめアレンジした形態、色彩を保持することができ、見栄えのよいディスプレイとして提示することができる。
【考案を実施するための最良の形態】
【０００９】
以下、本考案の好適な実施の形態を添付図面に基づいて詳細に説明する。
（第１の実施の形態）
図１は、本考案に係る造花のディスプレイ装置の第１の実施の形態の構成を示す正面図である。本実施形態の造花のディスプレイ装置は、造花１０と、造花１０を透視して視認出来るように設けられた水槽２０と、水槽２０と造花１０とを支持する基台３０とから構成されている。
【００１０】
造花１０は、従来提供されている造花と同じものであり、本実施形態では造花１０を花瓶１２あるいは保持体によって起立した状態で保持されたものを使用する。造花１０の種類や形態はとくに限定されるものではなく、一本の花をアレンジしたものであってもよいし、複数種類の花をアレンジしたものであってもよい。
【００１１】
図２は、基台３０に造花１０をセットした状態を示す。
基台３０は、水槽２０を支持する支持台部３２と、造花１０を支持する花台部３４とを備える。支持台部３２は、平面形状が矩形に形成された基台３０の周縁部に沿って、所定幅で設けられている。
後述するように、水槽２０は外形形状が矩形の箱体状に形成されるとともに、水を収容する収容部が、平面形状で矩形の枠状となるように形成されたもので、水槽２０によって囲まれた平面領域内の中央部は中空に形成されている。支持台部３２はこの水槽２０の底面形状に合わせて平面形状が矩形の枠状の領域となるように形成されている。
【００１２】
花台部３４は造花１０を支持する支持台として形成されている。造花１０は花瓶１２あるいは何らかの保持体によって支持するようにしてアレンジされる。本実施形態では、基台３０を横から見たときに、造花１０を挿した花瓶１２が支持台部３２の下側に隠れるように、花台部３４の設置高さを支持台部３２よりも低位となるように設定している。
【００１３】
もちろん、基台３０の横方向から造花１０を見たときに、花瓶１２が支持台部３２の上方にあらわれてもかまわないが、本実施形態で、花台部３４の高さが支持台部３２よりも下方となるようにしているのは、水槽２０の外側から造花１０を透視した際に、造花１０の花の部分や、きれいにアレンジされている造花１０の部分が水槽２０を透視して視認できるようにして、造花１０と水槽２０を含めたディスプレイ全体の見栄えを良くするためである。
花台部３４を支持台部３２に対して低位に配置する場合の花台部３４の深さ寸法、および造花１０を支持する花瓶１２の大きさは適宜選定すればよい。
【００１４】
本実施形態では、支持台部３２の四隅に支持脚３６を設け、支持台部３２がディスプレイの設置面に対して、一段、高い位置となるようにしているが、支持脚３６を設けずに、ディスプレイの設置面に基台３０をじかに置くようにすることもできる。基台３０は支持台部３２よりも花台部３４が低位となるようにしているから、支持台部３２の下面に遮蔽板３５を固定し、花台部３４にのせてある花瓶１２が横方向から見えないようにする。支持脚３６を設けずに基台３０を設置面に置くときには、この遮蔽板３５が設置面に当接して水槽２０を安定に支持することが可能となる。
【００１５】
図３は、基台３０上に水槽２０を設置した状態の斜視図を示す。
水槽２０は矩形の枠状に形成された外ケース部２１と、外ケース部２１から所定間隔離間した内側に、矩形の枠状に形成されて配置された内ケース部２２と、外ケース部２１の下端縁と内ケース部２２の下端縁間を周方向に一周して端縁間を水密に閉止する底部２３とから構成される。
すなわち、本実施形態の水槽２０は、外ケース部２１と内ケース部２２と底部２３からなる二重筒構造の容器に形成することにより、外ケース部２１と内ケース部２２とによって挟まれた平面形状が矩形の枠状となる領域が水が収容される領域となり、内ケース部２２によって囲まれた内側の領域は中空領域（上下に突き抜けた領域）となる。
【００１６】
水槽２０を構成する外ケース部２１および内ケース部２２は所定の水圧に耐える強度を有するとともに、透視性のよい透明材料、たとえば透明な合成樹脂材あるいはガラス板によって形成する。
なお、外ケース部２１と内ケース部２２を透明板を組み合わせて製作する場合には、少なくとも、内ケース部２２の接合部が外部から視認されないように接合するのがよい。
水槽２０の上面には、外ケース部２１によって囲まれた全領域が外部から視認されないように蓋４０を被せる。
【００１７】
図４は、基台３０と水槽２０との平面配置関係を示す。基台３０の支持台部３２に水槽２０の底部２３を位置合わせするようにして水槽２０がのせられる。水槽２０の内ケース部２２の内側は中空部となっているから、この中空部内の花台部３４に花瓶１２を置くことによって水槽２０の内側に造花１０を配置することができる。造花１０は花台部３４の上に単に置くだけであり、水槽２０の上から手を差し入れて造花１０の向きを整えることができる。
【００１８】
図１は、基台３０に水槽２０をセットし、水槽２０の内側に造花１０を配置し、水槽２０に水を入れて蓋４０を被せてディスプレイ装置とした状態を示す。
水槽２０に水を入れると、水槽２０の内ケース部２２が透明体によって形成されていることから、内ケース部２２が外部からまったく見えなくなり、造花１０はあたかも水槽２０の中に埋没したように視認される。これによって、単に、造花１０を花瓶１２に挿した場合と比較して、新規でかつ、見栄えのよいディスプレイとすることができる。
【００１９】
水槽２０では、水槽２０の底にエアを送り込むことによって水槽２０の底から泡が生じるようにバブリング装置を付設することが可能であり、また、蓋４０の内側に水面に向けて水をシャワー状に放射する放水部を設け、水槽２０内の水を循環させて水面に水を放射させるようにするシャワー装置を付設することができる。このように水槽２０にバブリング装置やシャワー装置を設けて、水槽２０内の水に動きを与えるようにすれば、水槽２０の外部から視認される造花１０の像にゆらぎを与えることができ、ディスプレイの表現に変化を与えることができて、造花の色合いなどをより新鮮に、変化をもたせて表現することができる。これによって、造花を使用するディスプレイであっても、きわめて見栄えのよいディスプレイとして提示することが可能になる。
また、水槽２０内で観賞後や水生生物を飼ったり、水生植物を配置したりすることによって、これらの魚などの動きとともに造花を観賞することができ、さらに特徴的なディスプレイとすることができる。
【００２０】
本実施形態の造花のディスプレイ装置は、実際には造花１０を水槽２０内に浸漬させているわけではないから、造花１０の色が変化したりする心配がまったくないこと、別の造花１０に交換する場合も、花台部３４にのせている造花１０を別の造花１０にのせかえるだけで済ませることができ、交換操作がきわめて簡単であり、これによって、異なる見栄えのディスプレイとすることが簡単にできるという利点がある。
また、造花１０に光触媒を被着して、室内空気の浄化作用および脱臭作用を作用させるようにする場合も、造花１０は水槽２０の外部にあるから、光触媒の機能が阻害されることがなく、また、造花１０の表面、たとえば花びらの表面や葉の表面に水滴状の芳香剤を被着させた場合でも、芳香剤の作用が阻害されることがないという利点がある。
【００２１】
なお、上記実施形態の造花のディスプレイ装置では、水槽２０として矩形の箱状に形成したものを使用したが、水槽２０の形態は矩形の箱状に形成する場合に限るものではない。たとえば、外ケース部２１と内ケース部２２とを円筒体状に形成し、外ケース部２１と内ケース部２２とを同芯配置とした二重筒状に形成することも可能であり、この場合も上記実施形態とまったく同様の作用効果を奏することができる。また、外ケース部２１と内ケース部２２とを相似形に形成せず、互いに異なる形態とすることも可能である。
また、本実施形態では、水槽２０を基台３０の上にのせる配置としているが、場合によっては、基台３０を用いることなく、単に設置面に水槽２０を配置し、水槽２０の内ケース部２２の内側の領域に、花瓶１２等で支持された造花１０を配置するといった使い方も可能である。
【００２２】
（他のディスプレイ装置の例）
図５は造花１０を用いた他のディスプレイ装置の例を示す。このディスプレイ装置は、水を収容する水皿５０と、水皿５０に溜められた水に浸漬するようにして配置する照明付き霧発生器５５と、水皿５０の上方に配置された支持皿６０と、支持皿６０に支持された造花１０とから構成されている。
【００２３】
水皿５０は造花１０を見栄えよくディスプレイするための装飾機能と、照明付き霧発生器５５を収容して、霧、もやを発生させる水を収容する機能を備えるもので、浅皿状の比較的大きな鉢状に形成されている。支持皿６０は造花１０を水皿５０から浮かした位置に見栄えよく支持するためのものである。
本実施形態では、花瓶のかわりに自然石１３に造花１０をアレンジし、自然石１３を支持皿６０にのせることによって造花１０を支持している。
【００２４】
このディスプレイ装置の場合は、水皿５０に配置した照明付き霧発生器５５の作用によって、水皿５０から霧がもや状に発生し、水皿５０の水面がもやによって隠され、支持皿６０の下方と支持皿６０の周囲にもやが流れて、ディスプレイとして新鮮で、面白味のあるものとなる。霧、もやの中に造花１０が浮かび上がるように表現されることにより、造花１０が生き生きとして表現され、造花１０を単に花瓶に挿して使用する場合にくらべて、飽きのこない表現とすることができる。
【００２５】
また、水皿５０に配置された照明付き霧発生器５５は、間欠的に赤、青、紫、緑といった光を放射するように形成されており、これらの光が水の中から放射されることによって、光がゆらぐようにして放射され、もやによって光が反射されて、光によるディスプレイも面白味のあるものとなり、造花１０のディスプレイ効果をさらに高めるように作用する。
なお、本ディスプレイ装置では、造花１０をアレンジしてディスプレイとしているが、場合によっては造花１０にかえて生花を使用することもできる。生花を使用した場合は、水皿５０から霧状に水が補給されることから、自動的に水の供給が行えるという利点がある。
【００２６】
上述した各実施形態のディスプレイ装置は、造花を使用して見栄えのよいディスプレイを可能にするものとして提供するものであるが、造花を交換したり、季節に合わせて造花を入れ替えることで、常に新鮮な感覚のディスプレイとすることができる。上記実施形態のディスプレイ装置は、いずれも造花を交換する操作が容易であるから、造花の入れ替えリース用として好適に利用することができ、これによってディスプレイの雰囲気を更新することが容易に可能であり、この点においても使いやすい造花のディスプレイ装置として提供することができる。
【図面の簡単な説明】
【００２７】
【図１】本考案に係る造花のディスプレイ装置の実施形態を示す正面図である。
【図２】造花のディスプレイ装置の基台の構成を示す斜視図である。
【図３】造花のディスプレイ装置の水槽の構成を示す斜視図である。
【図４】基台と水槽との平面配置関係を示す説明図である。
【図５】造花のディスプレイ装置の他の例を示す斜視図である。
【符号の説明】
【００２８】
１０  造花
１２  花瓶
２０  水槽
２１  外ケース部
２２  内ケース部
２３  底部
３０  基台
３２  支持台部
３４  花台部
３５  遮蔽板
３６  支持脚
４０  蓋
５０  水皿
５５  霧発生器
６０  支持皿
【図１】
0003107666.tif 000003
【図２】
0003107666.tif 000004
【図３】
0003107666.tif 000005
【図４】
0003107666.tif 000006
【図５】
0003107666.tif 000007